(57)【要約】【課題】部品点数の増加を抑え、且つ、長期保管してもペン体及びインキ吸収体の内部のインキを円滑に吐出でき、筆跡が途切れたり掠れたりすることを防止できる筆記具を提供する。【解決手段】内部にインキが貯留された本体２と、本体２の前端部に前後方向に移動可能に配置されるペン体３と、ペン体３の後方に配置され且つペン体３の後方への押圧によって開口する弁装置４と、ペン体３の周囲に配置される多孔質材料からなる環状のインキ吸収体１０とを備える。弁装置４の前側に突起部６５が形成される。突起部６５がインキ吸収体１０の後端部に前方に没入される。インキ吸収体１０の後端部に高密度部１０ａが形成される。【選択図】  図２
2019188820.tif 000002
【特許請求の範囲】
【請求項１】
内部にインキが貯留された本体と、前記本体の前端部に前後方向に移動可能に配置されるペン体と、前記ペン体の後方に配置され且つ前記ペン体の後方への押圧によって開口する弁装置と、前記ペン体の周囲に配置される多孔質材料からなる環状のインキ吸収体とを備えた筆記具であって、前記弁装置の前側に突起部が形成され、前記突起部が前記インキ吸収体の後端部に前方に没入され、前記インキ吸収体の後端部に高密度部が形成されることを特徴とする筆記具。
【請求項２】
前記弁装置が、ペン体の後端に当接された弁体と、前記弁体との密接離間作動により開閉自在の弁孔を備える弁座部材と、前記弁体を前方に付勢する弾発体と、前記弁体、前記弁座部材及び前記弾発体を収容する弁収容筒とからなり、前記弁座部材の前面に前記突起部が形成される請求項１記載の筆記具。
【発明の詳細な説明】
【技術分野】
【０００１】
本発明は、筆記具に関する。詳細には、内部にインキが貯留された本体と、前記本体の前端部に前後方向に移動可能に配置されるペン体と、前記ペン体の後方に配置され且つ前記ペン体の後方への押圧によって開口する弁装置と、前記ペン体の周囲に配置される多孔質材料からなる環状のインキ吸収体とを備えた筆記具に関する。
【背景技術】
【０００２】
従来、この種の筆記具において、例えば、特許文献１には、速乾性顔料インキを収容したインキ収容管の先端に先口を螺合し、この先口の先端開口より突出したペン体を押圧後退させることによりインキ収容管の先端内部に配設されたポンプ機構を作動させるインキをペン体に導くペイントマーカーにおいて、密な海綿体部と粗な海綿体部とからなるインキ含浸体を、密な海綿体部をポンプ側にしてペン体の外周に被装したことが開示されている。
【先行技術文献】
【特許文献】
【０００３】
【特許文献１】実開昭５９−１７９０８１号公報
【発明の概要】
【発明が解決しようとする課題】
【０００４】
前記特許文献１の筆記具は、密度の異なる２種類の海綿体部を必要とするため、部品点数が増加し、組立作業を煩雑なものにする。
また、前記特許文献１の筆記具は、ペン体の周囲を密な海綿体部で覆っているため、空気の浸入を防止できるとしても、密な海綿体部にインキが満たされた状態にあると、ペン体の後方に十分に空気が行き渡らず、ペン体及び海綿体部に含浸されたインキをペン体先端から円滑に吐出させることができず、筆跡が途切れたり掠れたりすることがある。
【０００５】
本発明は前記従来の問題点を解決するものであって、部品点数の増加を抑え、且つ、長期保管してもペン体及びインキ吸収体の内部のインキを円滑に吐出でき、筆跡が途切れたり掠れたりすることを防止できる筆記具を提供しようとするものである。
【０００６】
尚、本発明において、「前」とはペン体側を指し、「後」とはその反対側を指す。
【課題を解決するための手段】
【０００７】
本願の第１の発明は、内部にインキが貯留された本体２と、前記本体２の前端部に前後方向に移動可能に配置されるペン体３と、前記ペン体３の後方に配置され且つ前記ペン体３の後方への押圧によって開口する弁装置４と、前記ペン体３の周囲に配置される多孔質材料からなる環状のインキ吸収体１０とを備えた筆記具であって、前記弁装置４の前側に突起部６５が形成され、前記突起部６５が前記インキ吸収体１０の後端部に前方に没入され、前記インキ吸収体１０の後端部に高密度部１０ａが形成されることを特徴とする。
【０００８】
前記第１の発明の筆記具１は、前記形態を採用したことにより、部品点数の増加を抑え、且つ、筆記具を長期保管しても、インキ吸収体１０の高密度部１０ａで十分な量のインキを保持することで、ペン体３の乾燥を防止し、筆記開始後、即座に円滑なインキ吐出が可能となる。特に、前記高密度部１０ａが、インキ吸収体１０の後端部に部分的に形成され、インキ吸収体１０の全体または広範囲にわたって形成されていない。それにより、ペン体３後方への空気流通が確保され、ペン体３及びインキ吸収体１０の内部のインキを円滑に吐出でき、筆跡が途切れたり掠れたりすることを防止できる。
前記突起部６５は、インキ吸収体１０の後端部の径方向外側に没入されることが好ましい。それにより、突起部６５の径方向内側にインキ流通路が確保され、ペン体３及びインキ吸収体１０に弁装置４からのインキをスムーズに供給することができる。前記突起部６５は、周状に分散配置された複数の突起、または環状の突起が挙げられる。
【０００９】
本願の第２の発明は、前記第１の発明の筆記具１において、前記弁装置４が、ペン体３の後端に当接された弁体５と、前記弁体５との密接離間作動により開閉自在の弁孔６４を備える弁座部材６と、前記弁体５を前方に付勢する弾発体７と、前記弁体５、前記弁座部材６及び前記弾発体７を収容する弁収容筒８とからなり、前記弁座部材６の前面に前記突起部６５が形成されることを特徴とする。
【００１０】
前記第２の発明の筆記具１は、弁座部材６の前面に前記突起部６５が形成されることにより、特別な組立作業を必要とせず、インキ吸蔵体の後端部に高密度部１０ａを容易に形成できる。
【発明の効果】
【００１１】
本発明の筆記具は、部品点数の増加を抑え、且つ、長期保管してもペン体及びインキ吸収体の内部のインキを円滑に吐出でき、筆跡が途切れたり掠れたりすることを防止できる。
【図面の簡単な説明】
【００１２】
【図１】本発明の実施の形態のペン体上向き状態の縦断面図である。
【図２】図１のペン体下向き状態に要部拡大縦断面図である。
【図３】図１の弁座部材の斜視図である。
【発明を実施するための形態】
【００１３】
本発明の筆記具の実施の形態を図面に従って説明する。（図１乃至図３参照）
【００１４】
本発明の筆記具１は、内部にインキが貯留された本体２と、前記本体２の前端部に前後方向に移動可能に配置されるペン体３と、前記ペン体３の後方に配置され且つ前記ペン体３の後方への押圧によって開口する弁装置４と、ペン体３の周囲に配置される多孔質材料からなる環状のインキ吸収体１０と、前記ペン体３及び前記インキ吸収体１０を保持する先体９と、ペン体３側に着脱自在に装着されるキャップ１１とを備える。
【００１５】
・本体
前記本体２は、前端が開口され且つ後端が閉鎖された有底筒状体により形成され、合成樹脂のブロー成形により得られる。前記本体２の前端部は、縮径され、その外面に螺合部２１が形成される。
前記本体２内には、インキと撹拌部材１２が収容される。
【００１６】
・ペン体
前記ペン体３は、棒状の繊維束の樹脂加工体である。前記ペン体３の両端部が先細状に形成される。前記ペン体３の先細状の両端部の頂部に凸曲面が形成される。
【００１７】
・インキ吸収体
前記インキ吸収体１０は、合成樹脂の連続気孔体（弾性を有するスポンジ）であり、環状に形成される。前記インキ吸収体１０はペン体３が貫通する中心孔を備える。
【００１８】
・弁装置
前記弁装置４は、ペン体３の後端に当接される弁体５と、前記弁体５との密接離間作動により開閉自在の弁孔６４を備える弁座部材６と、前記弁体５を前方に付勢する弾発体７と、前記弁体５、前記弁座部材６及び前記弾発体７を収容する弁収容筒８とからなる、
【００１９】
・弁体
前記弁体５は、棒状の前部５１と、前記棒状の前部５１より後方に一体に形成され且つ径方向外方に環状に突出される弁部５２と、前記弁部５２より後方に一体に形成される棒状の後部５３とからなる。前記弁体５は合成樹脂の射出成形により得られる。
【００２０】
・弁座部材
前記弁座部材６は、両端が開口された円筒体であり、合成樹脂の射出成形により得られる。前記弁座部材６は、前端に径方向外方に突出された環状の鍔部６１が一体に形成される。前記鍔部６１より後方に筒状部６２が一体に形成される。前記筒状部６２の後端内面には、径方向内方に突出する座部６３が一体に形成される。前記座部６３の中心には弁孔６４が前後方向に貫設される。前記座部６３に、前記弁体５の弁部５２が密接離間可能である。前記弁座部材６の前面には、複数の周状に分散配置された突起部６５が一体に形成される。前記突起部６５は、鍔部６１より前方に突出される。
【００２１】
・弾発体
前記弾発体７は圧縮コイルスプリングよりなる。前記弾発体７の内部に、弁体５の棒状の後部５３が挿通される。前記弾発体７の前端が、前記弁体５の弁部５２の後面に係止され、前記弁体５が前方に付勢される。前記弾発体７の後端は、弁収容筒８の係止壁部８３に係止される。
【００２２】
・弁収容筒
前記弁収容筒８は、両端が開口された円筒体であり、合成樹脂の射出成形により得られる。前記弁収容筒８は、前端に径方向外方に突出された環状の鍔部８１が一体に形成される。前記鍔部８１より後方に筒状部８２が一体に形成される。前記筒状部８２の後端内面には、径方向内方に突出する係止壁部８３が一体に形成される。前記係止壁部８３の中心には、ガイド孔８４が前後方向に貫設され、前記ガイド孔８４に弁体５の棒状の後部５３が挿通される。前記筒状部８２の後部側壁には、複数のインキ流通孔８５が径方向に貫設される。前記弁収容筒８の筒状部８２の前端開口部内面には、前記弁座部材６の筒状部６１の外面が圧入固着される。前記弁収容筒８の鍔部８１前面は、前記弁座部材６の鍔部６１後面に密接される。前記弁収容筒８の鍔部８１前面は本体２の前端に密接される。前記弁収容筒８の筒状部８２の前端部外面は本体２の前端開口部内面に圧入固着される。前記弁収容筒８内には、弁体５、弁座部材６及び弾発体７が収容され、ユニット化された弁装置４を得る。
【００２３】
・先体
前記先体９は、両端が開口された先細円筒体であり、合成樹脂の射出成形により得られる。前記先体９の前端部内面には、前後方向に延びる複数本の縦リブ９１が形成され、縦リブ９１によりペン体３が摺動可能に保持される。前記先体９の後端部内面には、螺合部９２が形成される。前記先体９の後端部内面の螺合部９２が、前記本体２の前端部外面の螺合部２１と螺着される。前記先体９の螺合部９２の前方の内面には環状段部９３が形成される。前記環状段部９３が、前記弁座部材６の鍔部６１前面に密接される。前記先体９と前記本体２との螺着により、先体９の環状段部９３と本体２の前端との間で、弁座部材６の鍔部６１と弁収容筒８の鍔部８１が前後方向に挟持される。
【００２４】
前記先体９内面の環状段部９３の前方には、係止段部９４が形成される。前記先体９内部にインキ吸収体１０が収容される。前記係止段部９４に前記インキ吸収体１０の前面が係止される。
【００２５】
前記弁座部材６の前面の突起部６５が前記インキ吸収体１０の後端部に前方へ没入される。それにより、前記インキ吸収体１０の後端部に高密度部１０ａが形成される。前記突起部６５は、インキ吸収体１０の後端部の径方向外側に没入される。それにより、突起部６５の径方向内側にインキ流通路が確保され、ペン体３及びインキ吸収体１０に弁装置４からのインキをスムーズに供給することができる。
【００２６】
本実施の形態の筆記具１は、内部にインキが貯留された本体２と、前記本体２の前端部に前後方向に移動可能に配置されるペン体３と、前記ペン体３の後方に配置され且つ前記ペン体３の後方への押圧によって開口する弁装置４と、前記ペン体３の周囲に配置される多孔質材料からなる環状のインキ吸収体１０とを備えた筆記具であって、前記弁装置４の前側に突起部６５が形成され、前記突起部６５が前記インキ吸収体１０の後端部に前方に没入され、前記インキ吸収体１０の後端部に高密度部１０ａが形成されることにより、部品点数の増加を抑え、且つ、筆記具を長期保管しても、インキ吸収体１０の高密度部１０ａで十分な量のインキを保持することで、ペン体３の乾燥を防止し、筆記開始後、即座に円滑なインキ吐出が可能となる。特に、前記高密度部１０ａが、インキ吸収体１０の後端部に部分的に形成され、インキ吸収体１０の全体または広範囲にわたって形成されていない。それにより、ペン体３後方への空気流通が確保され、ペン体３及びインキ吸収体１０の内部のインキを円滑に吐出でき、筆跡が途切れたり掠れたりすることを防止できる。
【００２７】
本実施の形態の筆記具１は、前記弁装置４が、弁座部材６の前面に前記突起部６５が形成されることにより、特別な組立作業を必要とせず、インキ吸蔵体の後端部に高密度部１０ａを容易に形成できる。
【符号の説明】
【００２８】
１  筆記具
２  本体
２１  螺合部
３  ペン体
４  弁装置
５  弁体
５１  棒状の前部
５２  弁部
５３  棒状の後部
６  弁座部材
６１  鍔部
６２  筒状部
６３  座部
６４  弁孔
６５  突起部
７  弾発体
８  弁収容筒
８１  鍔部
８２  筒状部
８３  係止壁部
８４  ガイド孔
８５  インキ流通孔
９  先体
９１  縦リブ
９２  螺合部
９３  環状段部
９４  係止段部
１０  インキ吸収体
１０ａ  高密度部
１１  キャップ
１２  撹拌部材
【図１】
2019188820.tif 000003
【図２】
2019188820.tif 000004
【図３】
2019188820.tif 000005
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
内部にインキが貯留された本体と、前記本体の前端部に前後方向に移動可能に配置されるペン体と、前記ペン体の後方に配置され且つ前記ペン体の後方への押圧によって開口する弁装置と、前記ペン体の周囲に配置される多孔質材料からなる環状のインキ吸収体とを備えた筆記具であって、前記インキ吸収体の後端部の径方向外側に高密度部が部分的に形成されることを特徴とする筆記具。
【請求項２】
前記弁装置が、ペン体の後端に当接された弁体と、前記弁体との密接離間作動により開閉自在の弁孔を備える弁座部材と、前記弁体を前方に付勢する弾発体と、前記弁体、前記弁座部材及び前記弾発体を収容する弁収容筒とからなり、前記本体の前端開口部内面に前記弁収容筒が圧入固着され、前記本体の前端部外面に先体が螺着され、前記先体の前端部内面にペン体が摺動可能に保持され、前記先体の内部に前記インキ吸収体が収容され、前記先体の内面に前記弁座部材の鍔部が密接される環状段部が形成され、前記環状段部より前方に前記高密度部が形成される請求項１記載の筆記具。